(57)【要約】【課題】ワンセグ受信機能を有する移動体端末を利用して、ユーザが視聴したいときに、視聴したいコンテンツを視聴できるようにする。【解決手段】配信側設備10は、ワンセグ内蔵通信端末250からユーザが視聴を希望する番組の番組名を含む視聴要求が送られてくると、上記番組名によって特定される番組のコンテンツと、視聴可能な番組の番組名が載った番組表とを、上記ユーザが使用しているワンセグ送信端末200へ送信する。ワンセグ送信端末200は、配信側設備10から送られてきたコンテンツと番組表とをワンセグの放送波により送信する。ワンセグ内蔵通信端末２５０は、ワンセグ送信端末200から送られてきたコンテンツ及び番組表を表示部に表示する。また、ワンセグ内蔵通信端末250は、ユーザが番組表を用いて視聴を希望する番組を選択すると、その番組名を示す視聴要求を配信側設備10へ送信する。【選択図】図１
2011234004.tif 000002
【特許請求の範囲】
【請求項１】
加入者固有の加入者識別情報と、宛先を示す宛先情報とが関連付けて記録された加入者情報記憶部と、
ワンセグ受信機能を有する移動体端末から送られてきた視聴要求であって、加入者が視聴を希望する番組の番組名と前記加入者の加入者識別情報とを示す視聴要求に応答して前記加入者情報記憶部から前記加入者識別情報に関連付けて記録されている宛先情報を検索し、該検索した宛先情報が示す宛先に対して、前記番組名が示す番組のコンテンツと視聴可能な番組の番組名が載った番組表とを送信するサーバと、
該サーバから自端末宛てに送られてきたコンテンツ及び番組表をワンセグの放送波によって送信するワンセグ送信端末とを備え、且つ、
前記移動体端末は、前記ワンセグ送信端末から送信されたコンテンツ及び番組表を表示する表示部を備えると共に、前記表示部に表示されている番組表に載っている番組名の内の加入者によって選択された番組名と前記加入者の加入者識別情報とを示す視聴要求を前記サーバに対して送信するデータ処理部とを備えたことを特徴とするコンテンツ配信システム。
【請求項２】
請求項１記載のコンテンツ配信システムにおいて、
前記加入者情報記憶部には、前記加入者固有の加入者識別情報に関連付けて、宛先情報として前記加入者が利用するワンセグ送信端末のＩＰアドレスが記録され、
前記サーバは、データ部に前記コンテンツを収容し、宛先を前記加入者情報記憶部から検索したＩＰアドレスとしたＩＰパケットと、データ部に前記番組表を収容し、宛先を前記加入者情報記憶部から検索したＩＰアドレスとしたＩＰパケットとをＩＰネットワーク網へ送出することを特徴とするコンテンツ配信システム。
【請求項３】
請求項１または２記載のコンテンツ配信システムにおいて、
前記加入者固有の加入者識別情報は、前記サーバの情報資源の場所を指し示す加入者固有のＵＲＬであり、
前記サーバは、加入者が利用するワンセグ送信端末へ番組表を送信する場合、前記番組表に前記加入者に割り当てられているＵＲＬを付加して送信し、自サーバの情報資源の場所を指し示すＵＲＬがアクセスされて視聴要求が送られてきた場合、前記アクセスされたＵＲＬに関連付けて記録されている宛先情報を前記加入者情報記憶部から検索し、該検索した宛先情報が示す宛先に対して前記コンテンツ及び前記番組表を送信し、
前記データ処理部は、前記番組表に載っている番組名が前記加入者によって選択された際、前記番組表に付加されていたＵＲＬにアクセスして、前記選択された番組名を示す視聴要求を送信することを特徴とするコンテンツ配信システム。
【請求項４】
請求項１，２または３記載のコンテンツ配信システムにおいて、
前記サーバは、加入者毎に番組の視聴履歴を管理し、加入者が利用するワンセグ送信端末に番組表を送信する際には、前記加入者が視聴する可能性が高いジャンルに属する番組の番組名を前記加入者が選択しやすい位置に配置した番組表を作成することを特徴とするコンテンツ配信システム。
【請求項５】
請求項１乃至４の何れか１項に記載のコンテンツ配信システムにおいて、
前記ワンセグ送信端末は、前記サーバから送られてきたコンテンツ及び番組表を記憶するバッファ部を有し、該バッファ部に記録されているコンテンツ及び番組表をワンセグの放送波によって繰り返し送信することを特徴とするコンテンツ配信システム。
【請求項６】
加入者固有の加入者識別情報と、宛先を示す宛先情報とが関連付けて記録された加入者情報記憶部と、
ワンセグ受信機能を有する移動体端末から送られてきた視聴要求であって、加入者が視聴を希望する番組の番組名と前記加入者の加入者識別情報とを示す視聴要求に応答して前記加入者情報記憶部から前記加入者識別情報に関連付けて記録されている宛先情報を検索し、該検索した宛先情報が示すワンセグ送信端末であって、自端末宛てに送られてきたコンテンツ及び番組表をワンセグの放送波によって送信するワンセグ送信端末に対して、前記番組名が示す番組のコンテンツと視聴可能な番組の番組名が載った番組表とを送信する送信手段とを備えたことを特徴とするサーバ。
【請求項７】
ワンセグ受信機能を有する移動体端末が、ワンセグ送信端末からワンセグの放送波によって送信されたコンテンツ及び番組表を受信して表示部に表示し、
前記移動体端末が、前記表示部に表示されている番組表に載っている番組名の内の加入者によって選択された番組名と、前記加入者の加入者識別情報とを示す視聴要求をサーバに対して送信し、
前記サーバが、前記移動体端末から送られてきた視聴要求に応答して、加入者固有の加入者識別情報と、宛先を示す宛先情報とが関連付けて記録された加入者情報記憶部から前記視聴要求が示している加入者識別情報に関連付けて記録されている宛先情報を検索し、該検索した宛先情報が示す宛先に対して、前記番組名が示す番組のコンテンツと視聴可能な番組の番組名が載った番組表とを送信し、
前記ワンセグ送信端末が、前記サーバから自端末宛てに送られてきたコンテンツ及び番組表をワンセグの放送波によって送信することを特徴とするコンテンツ配信方法。
【請求項８】
加入者固有の加入者識別情報と、宛先を示す宛先情報とが関連付けて記録された加入者情報記憶部を備えたコンピュータを、
ワンセグ受信機能を有する移動体端末から送られてきた視聴要求であって、加入者が視聴を希望する番組の番組名と前記加入者の加入者識別情報とを示す視聴要求に応答して前記加入者情報記憶部から前記加入者識別情報に関連付けて記録されている宛先情報を検索し、該検索した宛先情報が示すワンセグ送信端末であって、自端末宛てに送られてきたコンテンツ及び番組表をワンセグの放送波によって送信するワンセグ送信端末に対して、前記視聴要求中の番組名が示す番組のコンテンツと視聴可能な番組の番組名が載った番組表とを送信するサーバとして機能させるためのプログラム。
【発明の詳細な説明】
【技術分野】
【０００１】
本発明は、ワンセグ受信機能を有する携帯電話機などの移動体端末に対してコンテンツを配信するコンテンツ配信システムに関する。
【背景技術】
【０００２】
地上デジタル放送で行われているサービスの１つにワンセグがある。これは携帯電話機などの移動体端末向けの放送であり、１チャンネルを構成する１３個のセグメントの内の１個のセグメントが使用される。
【０００３】
ところで、現在行われているワンセグでは、放送局が一方的に放送している番組（コンテンツ）を、ユーザがワンセグ受信機能付き移動体端末を用いてリアルタイムで視聴する形態となっているので、ユーザは放送中のコンテンツしか視聴することができない。このため、ユーザが視聴したいときに、視聴したいコンテンツを、移動体端末に備わっているワンセグ受信機能を利用して視聴できるシステムが要望されている。
【０００４】
一方、ユーザが視聴したいときに、視聴したいコンテンツを視聴できるシステムとして、インターネット放送システムが知られている（例えば、特許文献１参照）。
【０００５】
この特許文献１に記載されているインターネット放送システムは、インターネットによって相互に接続された映像視聴装置と映像ファイル提供装置とを備えている。映像視聴装置は、ユーザによって視聴を希望する映像ファイルが指定されると、その映像ファイルの転送を指示する映像転送命令を作成して映像ファイル提供装置へインターネットを介して送信する。映像ファイル提供装置は、映像ファイルを格納した映像ファイル記憶部を備えており、映像視聴装置から映像転送命令が送られてくると、それによって指示されている映像ファイルを映像ファイル記憶部から読み出し、インターネットを介して映像視聴装置へ送信する。映像視聴装置は、映像ファイル提供装置から送られてきた映像ファイルを再生する。
【０００６】
また、電波が減衰する宅内でも、ワンセグによるコンテンツを視聴可能にするため、ワンセグの放送信号を、有線伝送路を介して伝送するようにしたワンセグ放送システムも知られている（例えば、特許文献２参照）。
【０００７】
この特許文献２に記載されたワンセグ放送システムは、光ファイバや同軸ケーブルなどの有線伝送路を介して相互に接続された送信側装置と受信側装置とを備えている。送信側装置は、ワンセグ放送信号を帯域内に含むＯＦＤＭデジタル放送信号を有線伝送路に出力する。受信側装置は、有線伝送路を介して送られてくるＯＦＤＭデジタル放送信号を帯域フィルタに入力することにより、ワンセグの放送信号を取り出し、それを漏洩同軸ケーブルやアンテナ素子に送出する。これにより、ワンセグの放送信号に応じた電波が、漏洩同軸ケーブルやアンテナ素子から放射される。この電波をワンセグ受信機能付き移動体端末で受信することにより、ワンセグによる番組を視聴できる。
【先行技術文献】
【特許文献】
【０００８】
【特許文献１】特開２００１−３２０６９１号公報
【特許文献２】特開２００８−３４８９８号公報
【発明の概要】
【発明が解決しようとする課題】
【０００９】
上述した特許文献１に記載されている技術によれば、ユーザは、視聴したいときに、視聴したいコンテンツを視聴することができる。しかし、特許文献１に記載されている技術は、移動体端末が備えているワンセグ受信機能を利用してコンテンツを視聴するものではない。従って、特許文献１に記載されている技術によっては、ワンセグ受信機能を利用して、ユーザが視聴したいときに、視聴したいコンテンツを視聴することはできない。
【００１０】
また、特許文献２に記載されている技術によれば、電波が減衰する宅内においても、ワンセグによるコンテンツを視聴することが可能になる。しかし、特許文献２に記載されている技術は、送信側装置が有線伝送路を介して一方的に配信しているコンテンツを、ワンセグ受信機能付き端末で受信する形態となっているため、ユーザが視聴したいコンテンツを視聴することができない。
【００１１】
[発明の目的]
そこで、本発明の目的は、ワンセグ受信機能付き端末では、ユーザが視聴したいときに、視聴したいコンテンツを視聴することができないという課題を解決したコンテンツ配信システムを提供することにある。
【課題を解決するための手段】
【００１２】
本発明に係る第１のコンテンツ配信システムは、
加入者固有の加入者識別情報と、宛先を示す宛先情報とが関連付けて記録された加入者情報記憶部と、
ワンセグ受信機能を有する移動体端末から送られてきた視聴要求であって、加入者が視聴を希望する番組の番組名と前記加入者の加入者識別情報とを示す視聴要求に応答して前記加入者情報記憶部から前記加入者識別情報に関連付けて記録されている宛先情報を検索し、該検索した宛先情報が示す宛先に対して、前記番組名が示す番組のコンテンツと視聴可能な番組の番組名が載った番組表とを送信するサーバと、
該サーバから自端末宛てに送られてきたコンテンツ及び番組表をワンセグの放送波によって送信するワンセグ送信端末とを備え、且つ、
前記移動体端末は、前記ワンセグ送信端末から送信されたコンテンツ及び番組表を表示する表示部を備えると共に、前記表示部に表示されている番組表に載っている番組名の内の加入者によって選択された番組名と前記加入者の加入者識別情報とを示す視聴要求を前記サーバに対して送信するデータ処理部とを備える。
【００１３】
本発明に係るサーバは、
加入者固有の加入者識別情報と、宛先を示す宛先情報とが関連付けて記録された加入者情報記憶部と、
ワンセグ受信機能を有する移動体端末から送られてきた視聴要求であって、加入者が視聴を希望する番組の番組名と前記加入者の加入者識別情報とを示す視聴要求に応答して前記加入者情報記憶部から前記加入者識別情報に関連付けて記録されている宛先情報を検索し、該検索した宛先情報が示すワンセグ送信端末であって、自端末宛てに送られてきたコンテンツ及び番組表をワンセグの放送波によって送信するワンセグ送信端末に対して、前記番組名が示す番組のコンテンツと視聴可能な番組の番組名が載った番組表とを送信する送信手段とを備える。
【００１４】
本発明に係るコンテンツ配信方法は、
ワンセグ受信機能を有する移動体端末が、ワンセグ送信端末からワンセグの放送波によって送信されたコンテンツ及び番組表を受信して表示部に表示し、
前記移動体端末が、前記表示部に表示されている番組表に載っている番組名の内の加入者によって選択された番組名と、前記加入者の加入者識別情報とを示す視聴要求をサーバに対して送信し、
前記サーバが、前記移動体端末から送られてきた視聴要求に応答して、加入者固有の加入者識別情報と、宛先を示す宛先情報とが関連付けて記録された加入者情報記憶部から前記視聴要求が示している加入者識別情報に関連付けて記録されている宛先情報を検索し、該検索した宛先情報が示す宛先に対して、前記番組名が示す番組のコンテンツと視聴可能な番組の番組名が載った番組表とを送信し、
前記ワンセグ送信端末が、前記サーバから自端末宛てに送られてきたコンテンツ及び番組表をワンセグの放送波によって送信する。
【００１５】
本発明に係るプログラムは、
加入者固有の加入者識別情報と、宛先を示す宛先情報とが関連付けて記録された加入者情報記憶部を備えたコンピュータを、
ワンセグ受信機能を有する移動体端末から送られてきた視聴要求であって、加入者が視聴を希望する番組の番組名と前記加入者の加入者識別情報とを示す視聴要求に応答して前記加入者情報記憶部から前記加入者識別情報に関連付けて記録されている宛先情報を検索し、該検索した宛先情報が示すワンセグ送信端末であって、自端末宛てに送られてきたコンテンツ及び番組表をワンセグの放送波によって送信するワンセグ送信端末に対して、前記視聴要求中の番組名が示す番組のコンテンツと視聴可能な番組の番組名が載った番組表とを送信するサーバとして機能させる。
【発明の効果】
【００１６】
本発明によれば、ワンセグ受信機能を有する端末装置を利用して、ユーザが視聴したいときに、視聴したいコンテンツを視聴することが可能になる。
【図面の簡単な説明】
【００１７】
【図１】本発明に係るコンテンツ配信システムの第１の実施の形態の全体構成例を示すブロック図である。
【図２】加入者管理/配信制御サーバ１００、コンテンツ蓄積/配信サーバ１１０、および、データ放送蓄積/配信サーバ１２０の構成例を示すブロック図である。
【図３】加入者ＤＢ１０２の内容例を示す図である。
【図４】映像ＴＳ ＤＢ１１２の内容例を示す図である。
【図５】ワンセグ送信端末２００の構成例を示すブロック図である。
【図６】ワンセグ内蔵通信端末２５０の構成例を示すブロック図である。
【図７】本発明の第１の実施の形態における加入者情報登録時の処理例を示すシーケンス図である。
【図８】ワンセグ内蔵通信端末２５０における番組及び番組表の表示例を示す図である。
【図９】本発明の第１の実施の形態における視聴要求時の処理例を示すシーケンス図である。
【図１０】本発明の第２の実施の形態で使用する加入者ＤＢ１０２ａの内容例を示す図である。
【図１１】本発明の第２の実施の形態で使用する映像ＴＳ ＤＢ１１２ａの内容例を示す図である。
【図１２】本発明の第２の実施の形態における視聴要求時の処理例を示すシーケンス図である。
【発明を実施するための形態】
【００１８】
次に、本実施の形態について図面を参照して詳細に説明する。
【００１９】
[本発明の第１の実施の形態]
図１を参照すると、本発明に係るコンテンツ配信システムの第１の実施の形態は、配信側設備１０と、加入者側設備２０とから構成されている。なお、図１では、加入者側設備２０を１台しか図示していないが、加入者側設備２０の台数はこれに限られるものではない。
【００２０】
配信側設備１０は、加入者管理/配信制御サーバ１００と、コンテンツ蓄積/配信サーバ１１０と、データ放送蓄積/配信サーバ１２０と、レイヤ２及びレイヤ３スイッチ（Ｌ２/Ｌ３スイッチ）１３０とを備えている。各サーバ１００，１１０，１２０は、コンピュータによって実現される。なお、本実施の形態では、サーバ１００，１１０，１２０を異なるコンピュータによって実現するようにしたが、各サーバ１００，１１０，１２０を１台のコンピュータによって実現するようにしても構わない。
【００２１】
加入者側設備２０は、ワンセグ送信端末２００と、ワンセグ受信機能を有する携帯電話機などのワンセグ内蔵通信端末２５０とを含んでいる。
【００２２】
配信側設備１０のＬ２/Ｌ３スイッチ１３０と加入者側設備２０のワンセグ送信端末２００とは、ＩＰネットワーク網経由で相互に接続されている。また、配信側設備１０の加入者管理/配信制御サーバ１００と、加入者側設備２０のワンセグ内蔵通信端末２５０とは、無線データ通信網を介して接続されている。
【００２３】
図２は、配信側設備１０内の各サーバ１００，１１０，１２０の構成例を示すブロック図である。
【００２４】
同図を参照すると、加入者管理/配信制御サーバ１００は、加入者情報入力部１０１と、加入者データベース（ＤＢ）１０２と、ＷＥＢサーバ処理部１０３と、配信制御部１０４とを備えている。
【００２５】
加入者ＤＢ１０２には、本実施の形態に係るコンテンツ配信システムを利用しているエンドユーザ（加入者）毎に、その加入者が利用しているワンセグ送信端末２００のＩＰ(Internet Protocol)アドレスと、その加入者が加入者管理/配信制御サーバ１００に対して映像コンテンツ（番組）の視聴要求を行う際に使用する加入者固有のＵＲＬ(Uniform Resource Locator；アクセス先ＵＲＬという場合もある)と、その加入者に対して配信している番組の番組名とが記録される。なお、アクセス先ＵＲＬ中のスキームは「http」となり、ドメイン名は、加入者管理/配信制御サーバ１００を指し示すもの（例えば、www.xyz.co.jp）になっている。また、本実施の形態では、アクセス先ＵＲＬを加入者固有のものにするため、加入者１のアクセス先ＵＲＬを「http://www.xyz.co.jp/f0001」、加入者２のアクセス先ＵＲＬを「http://www.xyz.co.jp/f0002」にするというように、アクセス先ＵＲＬ中のファイル名を加入者毎に異なるものにしている。
【００２６】
図３に加入者ＤＢ１０２の内容例を示す。同図の例は、ＩＰアドレス「ＩＰ１」のワンセグ送信端末２００には番組名「ドラマＡ」の映像コンテンツが送信され、また、上記ワンセグ送信端末２００を利用している加入者は、映像コンテンツの視聴要求を行う際、「ＵＲＬ１」にアクセスすることを示している。
【００２７】
加入者情報入力部１０１は、管理者の指示に従って新規加入者に関する情報を加入者ＤＢ１０２に記録する。具体的には管理者によって新規加入者が利用するワンセグ送信端末２００のＩＰアドレスを含んだ加入者情報登録要求が入力されると、新規加入者に割り当てるユニークなアクセス先ＵＲＬを決定し、この決定したアクセス先ＵＲＬと、新規加入者が利用するワンセグ送信端末２００のＩＰアドレスと、新規加入者に配信することが定まっている新規加入者用番組の番組名とを関連付けて加入者ＤＢ１０２に登録する。加入者ＤＢ１０２に加入者情報を登録すると、加入者情報入力部１０１は、新規加入者に割り当てたアクセス先ＵＲＬを配信制御部１０４に通知する。
【００２８】
ＷＥＢサーバ処理部１０３は、加入者のワンセグ内蔵通信端末２５０からアクセスされ、視聴希望番組の番組名を含む視聴要求が送られてくると、加入者ＤＢ１０２に記録されている番組名の内、上記ユーザがアクセスしてきたアクセス先ＵＲＬに対応付けて記録されている番組名を、上記視聴要求に含まれている番組名で置き換える。なお、加入者は、加入者管理/配信制御サーバ１００をアクセスする際には、自身に割り当てられているアクセス先ＵＲＬを利用してアクセスする。更に、ＷＥＢサーバ処理部１０３は、上記アクセス先ＵＲＬを配信制御部１０４に通知する。
【００２９】
配信制御部１０４は、加入者情報入力部１０１またはＷＥＢサーバ処理部１０３からアクセス先ＵＲＬが通知されると、加入者ＤＢ１０２から上記アクセス先ＵＲＬに関連付けて記録されているＩＰアドレス及び番組名を検索する。そして、コンテンツ蓄積部/配信サーバ１１０に対して上記検索したＩＰアドレス及び番組名を含む制御情報を渡すと共に、データ放送蓄積/配信サーバ１２０に対して上記入力したＩＰアドレス及び上記アクセス先ＵＲＬを含む制御情報を渡す。また、配信制御部１０４は、ＷＥＢサーバ処理部１０３からアクセス先ＵＲＬが通知された際、上記ＵＲＬや加入者ＤＢ１０２から検索したＩＰアドレスを含む課金情報を、図示を省略した課金サーバに出力する。
【００３０】
上述した機能を有する加入者管理/通信制御サーバ１００は、コンピュータによって実現可能であり、その場合には例えば次のようにする。コンピュータを加入者情報入力部１０１、ＷＥＢサーバ処理部１０３及び配信制御部１０４として機能させるためのプログラムを記録したディスク、半導体メモリ、その他の記録媒体を用意し、コンピュータに上記プログラムを読み取らせる。コンピュータは読み取ったプログラムに従って自身の動作を制御することにより、自コンピュータ上に上記各部１０１，１０３，１０４を実現する。
【００３１】
コンテンツ蓄積/配信サーバ１１０は、エンコード処理部１１１と、映像ＴＳ(Transport Stream) ＤＢ１１２と、検索部１１３と、パケット送出部１１４とを備えている。
【００３２】
映像ＴＳ ＤＢ１１２には、番組名と、映像ＴＳとが関連付けて記録されている。図４に映像ＴＳ ＤＢ１１２の内容例を示す。
【００３３】
エンコード処理部１１１は、配信対象にする映像コンテンツを入力し、入力した映像コンテンツに対してエンコード処理を実施する。そして、エンコード済みの映像コンテンツ（映像ＴＳ）と、映像コンテンツの番組名とを関連付けて映像ＴＳ
ＤＢ１１２に記録する。
【００３４】
検索部１１３は、配信制御部１０４から渡された制御情報中の番組名に関連付けて記録されている映像ＴＳを映像ＴＳ
ＤＢ１１２から検索し、検索した映像ＴＳと上記制御情報中のＩＰアドレスとをパケット送出部１１４に出力する。
【００３５】
パケット送出部１１４は、検索部１１３から渡された映像ＴＳを所定サイズのデータに分割し、分割したデータ毎に、宛先アドレスを検索部１１３から渡されたＩＰアドレス（ワンセグ送信端末２００のＩＰアドレス）としたＩＰパケットを生成し、生成したＩＰパケットをＬ２/Ｌ３スイッチ１３０を介してＩＰネットワーク網へ送出する。
【００３６】
なお、コンテンツ蓄積/配信サーバ１１０は、加入者管理/配信制御サーバ１００と同様にコンピュータによって実現可能である。即ち、コンピュータをエンコード処理部１１１、検索部１１３及びパケット送出部１１４として機能させるためのプログラムを記録した記録媒体を用意し、コンピュータに上記プログラムを読み取らせることにより実現することができる。
【００３７】
データ放送蓄積/配信サーバ１２０は、番組情報入力部１２１と、ＢＭＬ(Broadcast Markup Language) ＤＢ１２２と、番組表作成部１２３と、パケット送出部１２４とを備えている。
【００３８】
番組情報入力部１２１は、エンコード処理部１１１に入力された映像コンテンツの番組名をＢＭＬ ＤＢ１２２に記録する。
【００３９】
番組表作成部１２３は、配信制御部１０４から制御情報が渡されると、ＢＭＬ ＤＢ１２２に記録されている番組名と制御情報中のアクセス先ＵＲＬに基づいて、視聴可能な番組の番組名が載った番組表であって、加入者が視聴希望番組の番組名を含んだ視聴要求を加入者管理/配信制御サーバ１００に送信する際に利用する番組表を作成する。具体的には、番組表作成部１２３は、先ず、ＢＭＬ ＤＢ１２２に記録されている番組名を入力する。次に、入力した各番組名が載った番組表であって、ユーザによって選択された番組名を含んだ視聴要求を、制御情報中のアクセス先ＵＲＬへ送信する番組表をＢＭＬにより記述する。つまり、番組表には、番組名とアクセス先ＵＲＬとが含まれている。
【００４０】
パケット送出部１２４は、番組表作成部１２３から渡されたＢＭＬで記述された番組表を所定サイズのデータに分割し、分割したデータ毎に、宛て先アドレスを番組表作成部１２３から渡されたＩＰアドレス（ワンセグ送信端末２００のＩＰアドレス）としたＩＰパケットを作成し、Ｌ２/Ｌ３スイッチ１３０を介してＩＰネットワーク網へ送出する。
【００４１】
なお、データ放送蓄積/配信サーバ１２０も他のサーバ１００，１１０と同様にコンピュータによって実現可能である。即ち、コンピュータを番組情報入力部１２１、番組表作成部１２３およびパケット送出部１２４として機能させるためのプログラムを記録した記憶媒体を用意し、コンピュータに上記プログラムを読み取らせることにより実現することができる。
【００４２】
図５を参照すると、ワンセグ送信端末２００は、Ｌ２スイッチ２０１と、パケット受信部２１１，２２１と、バッファ部２１２，２２２と、映像ＴＳ出力部２１３と、ＢＭＬデータ出力部２２３と、多重化部２０２と、ＯＦＤＭ（Orthogonal Frequency Division Multiplexing）変調部２０３とを備えている。
【００４３】
Ｌ２スイッチ２０１は、ＩＰネットワーク網を介してデータ放送蓄積/配信サーバ１２０から送られてくるＩＰパケットを、ポート番号などを利用してパケット受信部２１１とパケット受信部２２１とに振り分ける。即ち、データ部に映像ＴＳを含むＩＰパケットはパケット受信部２１１に振り分け、データ部に番組表（ＢＭＬデータ）を含むＩＰパケットはパケット受信部２２１に振り分ける。
【００４４】
パケット受信部２１１は、ＩＰヘッダの処理を行い、バッファ部２１２または映像ＴＳ出力部２１３に出力する。また、パケット受信部２２１は、ＩＰヘッダの処理を行い、バッファ部２２２またはＢＭＬデータ出力部２２３へ出力する。なお、出力先をバッファ部２１２，２２２にするか、出力部２１３，２２３にするのかは加入者によって選択可能になっている。
【００４５】
バッファ部２１２は、パケット受信部２１１から出力されたデータを一時的に蓄積し、蓄積データを繰り返し映像ＴＳ出力部２１３に出力する。また、バッファ部２２２は、パケット受信部２２１から出力されたデータを一時的に蓄積し、蓄積データをＢＭＬデータ出力部２２３へ出力する。
【００４６】
映像ＴＳ出力部２１３は、パケット受信部２１１またはバッファ部２１２からのデータを多重化部２０２へ出力し、ＢＭＬデータ出力部２２３は、パケット受信部２２１またはバッファ部２２２からのデータを多重化部２０２へ出力する。
【００４７】
多重化部２０２は、映像ＴＳ出力部２１３からの映像ＴＳとＢＭＬデータ出力部２２３からのＢＭＬデータ（番組表）とを多重化し、ＯＦＤＭ変調部２０３に出力する。
【００４８】
ＯＦＤＭ変調部２０３は、多重化部２０２からの信号に対してＯＦＤＭ変調を行い、アンテナを介してＲＦ信号を出力する（ワンセグの放送波を放射する）。その際、予め定められている番組表放送用のチャンネルを用いて放送を行う。
【００４９】
図６を参照すると、ワンセグ内蔵通信端末２５０は、選局部２５１と、ＯＦＤＭ復調部２５２と、多重分離部２５３と、デコード部２５４と、画像重畳部２５５と、ＬＣＤ等の表示部２５６と、スピーカ２５７と、ＣＰＵ（中央処理装置）によって実現されるデータ処理部２５８と、キーやタッチパネル等によって実現される入力部２５９と、通信部２６０とを備えている。
【００５０】
選局部２５１は、ユーザが希望するチャンネルを選局する。なお、加入者は本発明のコンテンツ配信サービスを利用する場合には、予め定められている番組表放送用のチャンネルを選局する。
【００５１】
ＯＦＤＭ復調部２５２は、選局部２５１から出力された信号を復調し、デジタル信号を取り出す。
【００５２】
多重分離部２５３は、映像コンテンツ用のパケットをデコード部２５４へ送り、データ放送用のパケットをデータ処理部２５８に送る。
【００５３】
デコード部２５４は、多重分離された映像ＴＳから映像信号と音声信号を復号し、映像信号および音声信号をそれぞれ画像重畳部２５５およびスピーカ２５７へ出力する。
【００５４】
データ処理部２５８は、データ放送用のパケットに基づいて、番組表や字幕などの画像を作成し、画像重畳部２５５へ出力する。また、データ処理部２５８は、加入者が表示部２５６に表示されている番組表を利用して視聴する番組の番組名を選択すると、通信部２６０を介して上記番組表に含まれていたアクセス先ＵＲＬにアクセスし、上記番組名を示す視聴要求を送信する。
【００５５】
画像重畳部２５５は、デコード部２５４からの映像データと、データ処理部２５８からの番組表などのデータ放送用の画像データとを重ね合わせて表示部２５６へ送る。
【００５６】
次に、本実施の形態の動作について詳細に説明する。先ず、加入者情報登録時の動作について、図７のシーケンス図を参照して説明する。
【００５７】
先ず、管理者が、新規加入者の利用するワンセグ送信端末２００のＩＰアドレスを含んだ加入者情報登録要求を加入者情報入力部１０１に入力する（ステップＳ７１）。
【００５８】
これにより、加入者情報入力部１０１は、新規加入者に割り当てるユニークなアクセス先ＵＲＬを決定する（ステップＳ７２）。アクセス先ＵＲＬの決定方法としては、例えば、次のような方法を採用することができる。アクセス先ＵＲＬ中のスキームおよびドメイン名は、それぞれ「http」「www.xyz.co.jp」に固定する。なお、「www.xyz.co.jp」は、加入者管理/配信制御サーバ１００のドメイン名である。また、ドメイン名に続くファイル名には、数値を含ませておく。そして、新規加入者にアクセス先ＵＲＬを割り当てる場合には、前回新規加入者に割り当てたアクセス先ＵＲＬに含まれているファイル名中の数値をインクリメントし、インクリメント後のＵＲＬを今回新規加入者に割り当てるアクセス先ＵＲＬとする。例えば、前回新規加入者に割り当てたアクセス先ＵＲＬが「http://www.xyz.co.jp/f0001」であれば、今回新規加入者に割り当てるアクセス先ＵＲＬは、「http://www.xyz.co.jp/f0002」とする。
【００５９】
その後、加入者情報入力部１０１は、新規加入者に割り当てたアクセス先ＵＲＬと、加入者情報登録要求中にＩＰアドレスと、新規加入者に対して配信することが予め定められている新規加入者用番組の番組名とを関連付けて加入者ＤＢ１０２に登録する。更に、加入者情報入力部１０１は、上記アクセス先ＵＲＬを配信制御部１０４に通知する（ステップＳ７３）。
【００６０】
配信制御部１０４は、加入者情報入力部１０１からアクセス先ＵＲＬが通知されると、上記アクセス先ＵＲＬに関連付けて記録されているＩＰアドレスおよび番組名を加入者ＤＢ１０２から検索する。そして、コンテンツ蓄積/配信サーバ１１０に対して上記番組名およびＩＰアドレスを含む制御情報を出力し、データ放送蓄積/配信サーバ１２０に対して上記アクセス先ＵＲＬおよびＩＰアドレスを含む制御情報を出力する（ステップＳ７４）。
【００６１】
コンテンツ蓄積/配信サーバ１１０内の検索部１１３は、制御情報中の番組名と関連付けられている映像ＳＴを映像ＴＳ
ＤＢ１１２から検索し、検索した映像ＴＳと制御情報中のＩＰアドレスとをパケット送出部１１４に渡す。これにより、パケット送出部１１４は、映像ＴＳをＩＰパケット化し、上記ＩＰアドレスによって特定されるワンセグ送信端末２００へ送出する。一方、データ放送蓄積/配信サーバ１２０内の番組表作成部１２３は、ＢＭＬ ＤＢ１２２に記録されている番組名を入力し、入力した番組名の一覧が載った番組表をＢＭＬによって作成する。更に、番組表作成部１２３は、作成した番組表に上記制御情報中のアクセス先ＵＲＬを埋め込み、アクセス先ＵＲＬを埋め込み済みの番組表と、上記制御情報中のＩＰアドレスとをパケット送出部１２４に渡す。これにより、パケット送出部１２４は、番組表をパケット化し、上記ＩＰアドレスによって特定されるワンセグ送信端末２００へ送信する（ステップＳ７５）。
【００６２】
ワンセグ送信端末２００では、Ｌ２スイッチ２０１がパケット送出部１１４，１２４から送られてきたＩＰパケットをそれぞれパケット受信部２１１，２２１に振り分け、パケット受信部２１１，２２１がＩＰヘッダの処理を行い、処理済みのパケットを、加入者が行っている設定に従ってバッファ部２１２，２２２または出力部２１３，２２３へ出力する。多重化部２０２は、映像ＴＳ出力部２１３およびＢＭＬデータ出力部２２３から出力されるパケットを多重化し、ＯＦＤＭ変調部２０３は、多重化部２０２から出力されるパケットに対してＯＦＤＭ変調処理を行い、アンテナを介して所定のチャンネルでワンセグ内蔵通信端末２５０へ送信する（ステップＳ７６）。
【００６３】
ワンセグ内蔵通信端末２５０では、選局部２５１がワンセグ送信端末２００によって放送されているチャンネルを選択し、ＯＦＤＭ復調部２５２がデジタル信号を取り出す。更に、多重分離部２５３がパケットを映像用のパケットとデータ放送用のパケットとに分離し、映像用のパケットをデコード部２５４に渡し、データ放送用のパケットをデータ処理部２５８に渡す。デコード部２５４では、映像用のパケットから映像信号と音声信号とを復号し、データ処理部２５８は、データ放送用のパケット（ＢＭＬによって記述されている番組表）に基づいて番組表を表示するための信号を作成する。画像重畳部２５５は、デコード部２５４からの信号とデータ処理部２５８からの信号とを重ね合わせ、表示部２５６に送る。これにより、例えば、図８に示すように、表示部２５６の上部に番組８１が、下部に番組表
が表示される（ステップＳ７７）。ＢＭＬで記述された番組表に埋め込まれているアクセス先ＵＲＬは、データ処理部２５８がそれを認識していれば、画面上に表示してもしなくとも構わない。
【００６４】
次に、加入者が表示部２５６に表示されている番組表を利用して視聴する番組を選択する場合の動作について、図９のフローチャートを参照して説明する。
【００６５】
先ず、加入者が入力部２５９を利用して、番組表８２に載っている番組名の中から、視聴したい番組の番組名を選択する（ステップＳ９１）。これにより、データ処理部２５８は、加入者が選択した番組名を含む視聴要求を作成し、作成した視聴要求を無線データ通信網などを介して、番組表に埋め込まれているアクセス先ＵＲＬへ送信する（ステップＳ９２）。
【００６６】
加入者管理/配信制御サーバ１００内のＷＥＢサーバ処理部１０３は、ワンセグ内蔵通信端末２５０から視聴要求が送られてくると、加入者ＤＢ１０２に記録されている番組名の内、上記視聴要求のアクセス先ＵＲＬに関連付けて記録されている番組名を、上記視聴要求中の番組名で置き換え、更に、上記アクセス先ＵＲＬを配信制御部１０４に通知する（ステップＳ９３）。これにより、配信制御部１０４は、前述したステップＳ７４と同様の処理を行い、コンテンツ蓄積/配信サーバ１１０及びデータ放送蓄積/配信サーバ１２０に対して制御情報を出力する（ステップＳ９４）。また、コンテンツ蓄積/配信サーバ１１０及びデータ放送蓄積/配信サーバ１２０は、前述したステップＳ７５と同様の処理を行い、加入者が利用しているワンセグ送信端末２００へ映像用のＩＰパケットとデータ放送用のデータパケットとを送信する（ステップＳ９５）。
【００６７】
ワンセグ送信端末２００では、前述したステップＳ７６と同様に処理を行うことにより、ワンセグ内蔵通信端末２５０に対してワンセグの放送波を出力する（ステップＳ９６）。また、ワンセグ内蔵通信端末２５０では、前述したステップＳ７７と同様の処理を行うことにより、表示部２５６に番組８１および番組表８２を表示する（ステップＳ９７）。
【００６８】
[第１の実施の形態の効果]
本発明によれば、ワンセグ受信機能を有する移動体端末（ワンセグ内蔵通信端末２５０）を利用して、ユーザ（加入者）が視聴したいときに、視聴したいコンテンツを視聴することが可能になる。その理由は、加入者が利用するワンセグ内蔵通信端末２５０から視聴を希望する番組の番組名および上記加入者の加入者識別情報（アクセス先ＵＲＬ）を示す視聴要求が送られてきたとき、サーバ（配信側設備１０）が、アクセス先ＵＲＬと加入者が利用するワンセグ送信端末２００の宛先情報（ＩＰアドレス）とが関連付けて記録されている加入者情報記憶部（加入者ＤＢ１０２）から、上記加入者が利用するワンセグ送信端末２００の宛先情報を検索し、この宛先情報によって示されるワンセグ送信端末２００に対して、加入者が希望している番組のコンテンツと視聴可能な番組の番組名が載った番組表とを送信し、ワンセグ送信端末２００が、サーバから送られてきたコンテンツ及び番組表をワンセグの放送波によってワンセグ内蔵通信端末２５０に送信するようにしているからである。
【００６９】
[本発明の第２の実施の形態]
次に、本発明の第２の実施の形態について説明する。本実施の形態は、加入者が自身の嗜好に合った番組を容易に選択できるようにしたことを特徴とする。以下、第１の実施の形態との相違点について説明する。
【００７０】
本実施の形態では、図３に示した加入者ＤＢ１０２の代わりに、図１０に示した加入者ＤＢ１０２ａを使用する。図１０を参照すると、本実施の形態で使用する加入者ＤＢ１０２ａは、加入者毎の情報として、ＩＰアドレス、アクセス先ＵＲＬ及び番組名に加えて、その加入者がジャンル「ドラマ」「音楽」「スポーツ」に属する番組をそれぞれ何回視聴したのかを示す情報（視聴回数）が記録されている点が図３に示した加入者ＤＢ１０２と相違している。
【００７１】
また、本実施の形態では、図４に示した映像ＴＳ ＤＢ１１２の代わりに、図１１に示した映像ＴＳ ＤＢ１１２ａを使用する。図１１を参照すると、本実施の形態で使用する映像ＴＳ
ＤＢ１１２ａは、番組名および映像ＴＳに関連付けて、その番組が属するジャンルが記録されている点が図４に示した映像ＴＳ ＤＢ１１２と相違している。
【００７２】
更に、本実施の形態では、番組情報入力部１２１がＢＭＬ ＤＢ１２２に番組名を記録する際、その番組名の番組が属するジャンルを示す情報を番組名に関連付けて記録する。
【００７３】
また、本実施の形態では、図９のシーケンス図に示す処理の代わりに図１２のシーケンス図に示す処理を行う。以下、図１２を参照して本実施の形態の動作について説明する。なお、図１２において図９と同一処理を行うステップには、同一のステップ番号を付しており、以下の説明では、第１の実施の形態との相違点について説明する。
【００７４】
ＷＥＢサーバ処理部１０３は、ワンセグ内蔵通信端末２５０によってアクセス先ＵＲＬがアクセスされ、視聴要求が送られてくると、加入者ＤＢ１０２ａに記録されている番組名の内、上記視聴要求のアクセス先ＵＲＬに関連付けて記録されている番組名を上記視聴要求中の番組名で置き換える（ステップＳ１２１）。
【００７５】
その後、ＷＥＢサーバ処理部１０３は、置き換え後の番組名を含んだジャンル検索要求をコンテンツ蓄積/配信サーバ１１０内の検索部１１３に対して出力する。検索部１１３は、映像ＴＳ ＤＢ１１２ａからジャンル検索要求中の番組名に関連付けて記録されているジャンルを検索し、検索したジャンルをＷＥＢサーバ処理部１０３に返却する。これにより、ＷＥＢサーバ処理部１０３は、加入者ＤＢ１０２ａに記録されている視聴回数の内、視聴要求のアクセス先ＵＲＬと検索部１１３から返却されたジャンルとに関連付けて記録されている視聴回数をインクリメントし、その後、上記アクセス先ＵＲＬを配信制御部１０４に渡す（ステップＳ１２２）。
【００７６】
配信制御部１０４は、ＷＥＢサーバ処理部１０３からアクセス先ＵＲＬが渡されると、それに関連付けて記録されているＩＰアドレス、番組名、および、各ジャンルの視聴回数を加入者ＤＢ１０２ａから検索する。その後、配信制御部１０４は、検索部１１３および番組表作成部１２３に対して制御情報を出力する。本実施の形態において、配信制御部１０４は、検索部１１３に対しては、上記検索したＩＰアドレスと番組名とを含む制御情報を出力する。また、番組表作成部１２３に対しては、上記検索したＩＰアドレスおよび各ジャンルの視聴回数と、視聴要求中のアクセス先ＵＲＬとを渡す（ステップＳ１２３）。ここで、各ジャンルの視聴回数の代わりに、ジャンル名を視聴回数の多い順に並べた順序情報を番組表作成部１２３に渡すようにしても良い。
【００７７】
コンテンツ蓄積/配信サーバ１１０内の検索部１１３およびパケット送出部１１４は、配信制御部１０４から制御情報が渡されると、前述したように、データ部に映像ＴＳを収容し、宛先を制御情報中のＩＰアドレスとしたＩＰパケットを作成し、ＩＰネットワーク網へ送出する。一方、データ放送蓄積/配信サーバ１２０内の番組表作成部１２３は、ＢＭＬ ＤＢ１２２に記録されている番組名とジャンルとの対を入力し、視聴回数が多いジャンルに属する番組の番組名ほど前に並べた番組表（視聴回数が多いジャンルの属する番組の番組名ほど、加入者が選択しやすい位置に配置した番組表）をＢＭＬにより作成し、更に、作成した番組表に制御情報中のアクセス先ＵＲＬを埋め込む。その後、パケット送出部１２４が、データ部に番組表を収容し、宛先を制御情報中のＩＰアドレスとしたＩＰパケットを作成し、ＩＰネットワーク網へ送出する（ステップＳ１２４）。
【００７８】
[第２の実施の形態の効果]
本実施の形態によれば、加入者が自身の嗜好に合った番組を容易に視聴できるようにすることができる。その理由は、配信側設備１０において、加入者毎に番組の視聴履歴（ジャンル毎の視聴回数）を管理し、加入者が利用するワンセグ内蔵通信端末２５０に対して番組表を送信する際には、上記加入者が視聴する可能性が高い上記加入者の嗜好に合った番組の番組名を、上記加入者が選択しやすい位置に配置した番組表を作成するようにしたからである。
【産業上の利用可能性】
【００７９】
本発明は、コンテンツの配信サービスに適用すると好適である。
【符号の説明】
【００８０】
１０    配信側設備
１００  加入者管理/配信制御サーバ
１０１  加入者情報入力部
１０２  加入者データベース
１０２，１０２ａ  加入者ＤＢ
１０３  ＷＥＢサーバ処理部
１０４  配信制御部
１１０  コンテンツ蓄積/配信サーバ
１１１  エンコード処理部
１１２，  映像ＴＳ ＤＢ１１２
１１３  検索部
１１４  パケット送出部
１２０  データ放送蓄積/配信サーバ
１２１  番組情報入力部
１２２  ＢＭＬ ＤＢ１
１２３  番組表作成部
１２４  パケット送出部
２０    加入者側設備
２００  ワンセグ送信端末
２０１  Ｌ２スイッチ
２０２  多重化部
２０３  ＯＦＤＭ変調部
２１１，２２１  パケット受信部
２１２，２２２  バッファ部
２１３  映像ＴＳ出力部
２２３  ＢＭＬデータ出力部
２５０  ワンセグ内蔵通信端末
２５１  選局部
２５２  ＯＦＤＭ復調部
２５３  多重分離部
２５４  デコード部
２５５  画像重畳部
２５６  表示部
２５７  スピーカ
２５８  データ処理部
２５９  入力部
２６０  通信部
８１    番組
８２    番組表
【図１】
2011234004.tif 000003
【図２】
2011234004.tif 000004
【図３】
2011234004.tif 000005
【図４】
2011234004.tif 000006
【図５】
2011234004.tif 000007
【図６】
2011234004.tif 000008
【図７】
2011234004.tif 000009
【図８】
2011234004.tif 000010
【図９】
2011234004.tif 000011
【図１０】
2011234004.tif 000012
【図１１】
2011234004.tif 000013
【図１２】
2011234004.tif 000014